(57)【要約】      （修正有）【課題】保温効果の良い真空断熱カップカバーを提供する。【解決手段】真空引き内腔１１を備えるステンレス鋼製のハウジング１０を含み、ハウジングに真空引き孔１２を開設し、真空引き孔に半田シールブロック２０を設置する。その中で、ハウジングは、開口部がそれぞれ下に向かう外蓋１０１及び内蓋１０２を含み、外蓋と内蓋とが一体に溶接された後、外蓋と内蓋との間の部分により内腔を形成し、真空引き孔が外蓋の上端面に位置し、内蓋にプレス加工により雌ねじ１０２１を形成する。ハウジングが上蓋体及び下部筒体を含み、下部筒体の下端が密閉され、且つ下部筒体の外径が上蓋体の外径よりも小さくなり、上蓋体及び下部筒体が一体に溶接された後、上蓋体の内部及び下部筒体の内部により内腔を形成し、真空引き孔が上蓋体の上端面に位置し、下部筒体の側壁にローリングにより雄ねじ及び凹溝をそれぞれ形成、凹溝内に防水シールリングを嵌入する。【選択図】図１
0003189587.tif 000002
【実用新案登録請求の範囲】
【請求項１】
真空断熱カップカバーにおいて、真空引き内腔（11）を備えるステンレス鋼ハウジング（10）を含み、該ハウジング（10）に真空引き孔（12）が開設され、該真空引き孔（12）に半田シールブロック（20）が設置されることを特徴とする真空断熱カップカバー。
【請求項２】
前記ハウジング（10）は、開口部がそれぞれ下に向かう外蓋（101）及び内蓋（102）を含み、該外蓋（101）と該内蓋（102）とが一体に溶接された後、該外蓋（101）と該内蓋（102）との間の部分が該内腔（11）として形成され、且つ該内蓋（102）にプレス加工により雌ねじ（1021）を形成していることを特徴とする請求項1に記載の真空断熱保温カップカバー。
【請求項３】
前記外層（101）の上端面にピット（1011）が設置され、該真空引き孔（12）が該ピット（1011）内に位置することを特徴とする請求項2に記載の真空断熱カップカバー。
【請求項４】
前記ハウジング（10）が、ステンレス鋼板材でプレス加工によりそれぞれ形成される上蓋体（103）及び下部筒体（104）を含み、該下部筒体（104）の下端が密閉され、且つ該下部筒体（104）の外径が該上蓋体（103）の外径よりも小さくなり、該上蓋体（103）と該下部筒体（104）とが溶接により一体に接続された後、該上蓋体（103）の内部と該下部筒体（104）の内部とが共に該内腔（11）として形成され、該下部筒体（104）の側壁にローリングにより雄ねじ（1041）と凹溝（1042）を形成し、該凹溝（1042）内に防水シールリング（30）を嵌入することを特徴とする請求項1に記載の真空断熱保温カップカバー。
【考案の詳細な説明】
【技術分野】
【０００１】
本考案は断熱カップの付属品の技術分野に関し、特には真空断熱カップカバーに関する。
【背景技術】
【０００２】
カップ壁の内部には真空引き内腔を備え、且つステンレス鋼材質製の断熱カップ（Vacuum cup）は幅広く使用されている。このような断熱カップは、保温効果が比較的良いため、大人気である。しかし、該断熱カップ口部に螺接されるカップカバーが真空で断熱しないため、熱量が該カップカバーから大量に流失され、さらに極大に該断熱カップのカップ本体の保温効果を弱める。
【考案の概要】
【考案が解決しようとする課題】
【０００３】
本考案は、カップ本体と同じステンレス鋼の真空構造を備え、 カップ本体の機能と同じ保温効果の良い特徴を備える真空断熱カップカバーを提供することを目的とする。
【課題を解決するための手段】
【０００４】
本考案による技術案は、ステンレス鋼製のハウジングを含み、前記ハウジングが真空引き内腔を備え、且つ該ハウジングに真空引き孔が開設され、該真空引き孔に半田シールブロックが設置される真空断熱カップカバーである。
【０００５】
前記ハウジングは開口部がそれぞれ下に向かう外蓋及び内蓋を含み、該外蓋と該内蓋が一体に溶接された後、該外蓋と該内蓋との間の部分が該内腔として形成され、且つ該内蓋にプレス加工により雌ねじが形成されている。
前記外層の上端面にピットが設置され、該真空引き孔が該ピット内に位置する。
【０００６】
前記ハウジングは、ステンレス鋼板材でプレス加工によりそれぞれ形成される上蓋体及び下部筒体を含み、該下部筒体の下端が密閉され、且つ該下部筒体の外径が該上蓋体の外径よりも小さくなり、該上蓋体及び該下部筒体が溶接により一体に接続された後、該上蓋体の内部及び該下部筒体の内部は共に該内腔として形成され、また該下部筒体の側壁にローリングにより雄ねじ及び凹溝を形成し、該凹溝内に防水シールリングを嵌入する。
【０００７】
本考案は以下の長所を備える。保温の効果が良好になる。本考案による真空断熱カップカバーが真空引き内腔を備える上、該カップカバーが断熱カップのカップ本体と同様に優れる真空保温効果を備えさせるため、カップ本体内の物質を全方位的な保温を得る。さらに、該断熱カップカバーはプラスチック材料でなくステンレス鋼材質により製造され、プラスチック分子がカップ内溶液に釈放することを回避し、該カップカバーはより高い健康標準を備え、且つステンレス鋼の構造も比較的堅固、耐用で、さらにカップカバー及び断熱カップカップ本体の色を統一にするため、ステンレス鋼断熱カップは極めて美観になる。
【図面の簡単な説明】
【０００８】
【図１】図1は本考案の実施例1の真空断熱カップカバーの正面断面図である。
【図２】図2は本考案の実施例1の真空断熱カップカバーの使用状態を示す正面断面図である。
【図３】図3は本考案の実施例2の真空断熱カップの外蓋の正面断面図である。
【図４】図4は図1のA部分の拡大図である。
【図５】図5は本考案の実施例3の真空断熱カップの正面断面図である。
【図６】図6は本考案の実施例2及び実施例3により形成される各真空断熱カップカバーを合せて使用する状態を示す一部正面断面図である。
【考案を実施するための形態】
【０００９】
以下、図面及び実施例を結合して本考案についてより詳しく説明する。
＜実施例1＞
図1及び図2に示すように、真空断熱カップカバーは、ステンレス鋼材質製のハウジング10を含み、該ハウジング10が真空引き内腔11を備え、且つ該ハウジング10に真空引き孔12を開設し、該真空引き孔12に半田シールブロック20を設置する。これにより、該真空引き孔12により該内腔11内を真空に引いた後、該半田シールブロック20により該真空引き孔12を密封する。
【００１０】
より具体的に、該ハウジング10は、開口部がそれぞれ下に向かう外蓋101及び内蓋102を含む。該外蓋101及び該内蓋102とが一体に溶接された後、該外蓋101と該内蓋102との間の部分は該内腔11として形成される。例えば、該外蓋101の下縁と該内蓋102の下縁とを一体に溶接する。これにより、該ハウジング10が双層密封構造を形成する。その時、該真空引き孔12が該外蓋101の上端面に位置する。また、該内蓋102には、プレス加工により雌ねじ1021を形成している。該断熱カップの開口部には、該雌ねじ1021が螺接される雄ねじを備える。
【００１１】
更に、該外層101の上端面にピット1011を設置し、該真空引き孔12が該ピット1011内に位置する。このようにすると、該内腔11について真空引き操作を行うことに便利で、かつ真空に引いて該真空引き孔12を密封した後、該ピット1011内に装飾片を設置し、該真空引き孔12の露出を回避し、且つ半田シールブロック20が直接的に衝撃され後に緩くなって、真空にならないことを回避する。
このため、該断熱カップカバー内の真空により該断熱カップカバーの保温効果を向上させ、断熱カップ内部の熱量の速い散発を防止する。
【００１２】
＜実施例2＞
図3及び図4に示すように、実施例2と実施例1との相異点は、該内層104の深度が少し高くなって、例えば少なくとも40mmになる。これにより、該真空断熱カップカバーは保温作用の基本機能を備える前提下で、手を焼くことない断熱容器として使用することができる。
【００１３】
＜実施例3＞
図5に示すように、真空断熱カップカバーは、ステンレス鋼材質製のハウジング10を含み、該ハウジング10が真空引き内腔11を備え、且つ該ハウジング10に真空引き孔12を開設し、該真空引き孔12に半田シールブロック20を設置する。
【００１４】
具体的に、該ハウジング10は、ステンレス鋼板材プレスによりそれぞれ加工形成される上蓋体103及び下部筒体104を含む。該下部筒体104の下端が密閉され、且つ該下部筒体104の外径が該上蓋体103の外径よりも小さくなる。該上蓋体103及び該下部筒体104とが溶接の方式により一体に接続させた後、該上蓋体103の内部及び該下部筒体104の内部により該内腔11を形成する。例えば、該上蓋体103の下縁及び該下部筒体104の上縁が溶接の方式により一体に接続される。また、該真空引き孔12が該上蓋体103の上端面に位置しても良く、該下部筒体104の下端面にも位置しても良い。更に、該下部筒体104の側壁にローリングにより雄ねじ1041及び凹溝1042を形成しており、該凹溝1042内に防水シールリング30を嵌入する。該断熱カップの開口部には、該雄ねじ1041が螺接するための雌ねじを備える。
【００１５】
これにより、該断熱カップカバーが差込式蓋を形成するため、該下部筒体104が断熱カップの開口部内に位置し、より一層該断熱カップカバーの保温効果を増加させる。勿論、該断熱カップの開口部内部には、該防水シールリング30に緊密に当接される段部を設置し、漏水防止作用を果たす。
【００１６】
図6に示すように、上記実施例2による二層構造の真空断熱カップカバー及び実施例3による差込式の真空断熱カップカバーは、一つの断熱カップに併用できるだけでなく、一つの断熱カップにも単独に応用できる。即ち、該差込式の蓋を該断熱カップの開口部内部に螺接し、該二層構造の蓋を断熱カップの開口部外部に螺接する。このようにすると、より良くの保温効果を果たす可能だけでなく、該二層構造の蓋を容器として使用する時、該差込式蓋が依然として真空保温作用を発揮できるともに、断熱カップがプラスチック材質を使用できない業種の技術ボトルネックを克服する。
【００１７】
以上の記載内容は本考案の保護範囲を制限することではなく、本考案の好ましい実施例にすぎず、およそ本考案の明細書及び図面内容を利用して等効な構造或は等効なフローの変換を行うこと、或は直接的或は間接的に他の関連技術分野に運用することは同様に、本考案の保護範囲内に含まれる。
【符号の説明】
【００１８】
10...ハウジング
101...外蓋
1011...ピット
102...内蓋
1021...雌ねじ
103...外蓋上蓋体
104...下部筒体
1041...雄ねじ
1042...凹溝
20...半田シールブロック
30...防水シールリング
【図１】
0003189587.tif 000003
【図２】
0003189587.tif 000004
【図３】
0003189587.tif 000005
【図４】
0003189587.tif 000006
【図５】
0003189587.tif 000007
【図６】
0003189587.tif 000008